(57)【要約】【課題】自動測定ソフトウエアのライセンス管理を正確に実施する。【解決手段】自動測定ソフトウエア１０に対するライセンス契約は、この自動測定ソフトウエアに従って実際の測定を実施する測定器１ａに対して結ばれる。そして、このライセンス契約された各測定器の製造番号（シリアルＮｏ．）が暗号化されて暗号化製造番号１４として、測定器暗号化製造番号リスト１３に書込まれて、自動測定ソフトウエア１０と共に、測定器のユーザの測定制御用コンピュータ７にインストールされる。そして、この測定制御用コンピュータに測定器を接続して測定対象に対して測定を実施するときに、この測定器の製造番号を取込み、この測定器の製造番号が、復号化した製造番号と一致することを確認するようにしている。【選択図】      図１
2005084889.tif 000002
【特許請求の範囲】
【請求項１】
測定器に接続された測定制御用コンピュータが、外部から入力しインストールされた自動測定ソフトウエアに従って、前記測定器に対して測定対象の測定を実施させる自動測定システムにおける前記自動測定ソフトウエアのライセンスを管理する自動測定ソフトウエアのライセンス管理方法において、
前記測定制御用コンピュータは、
前記自動測定ソフトウエアと共に外部から入力されるライセンス管理ソフトウエアと、同じく外部から入力されるライセンス契約された個々の測定器を特定する製造番号を暗号化した複数の暗号化製造番号が含まれる測定器暗号化製造番号リストとを記憶保持し、
前記ライセンス管理ソフトウエアに従って自己に接続された測定器からこの測定器の製造番号を取得し、
前記ライセンス管理ソフトウエアに従って前記測定器暗号化製造番号リストに含まれる個々の暗号化製造番号を復号化し、
前記記憶保持したライセンス管理ソフトウエアに従って、前記測定器から取得された製造番号が前記復号化された複数の製造番号のなかにに含まれるとき、該当測定器はライセンス契約された測定器と判定し、
前記インストールされた自動測定ソフトウエアに従って、このライセンス契約された測定器を用いた前記測定対象に対する測定を開始させる
ことを特徴とする自動測定ソフトウエアのライセンス管理方法。
【請求項２】
測定器に接続された測定制御用コンピュータが、外部から入力しインストールされた自動測定ソフトウエアに従って、前記測定器に対して測定対象の測定を実施させる自動測定システムにおける前記自動測定ソフトウエアのライセンスを管理する自動測定ソフトウエアのライセンス管理方法において、
前記測定制御用コンピュータは、
前記自動測定ソフトウエアと共に外部から入力されるライセンス管理ソフトウエアと、同じく外部から入力されるライセンス契約された測定器を特定する製造番号を暗号化した暗号化製造番号とを記憶保持し、
前記ライセンス管理ソフトウエアに従って自己に接続された測定器からこの測定器の製造番号を取得し、
前記ライセンス管理ソフトウエアに従って前記暗号化製造番号を復号化し、
前記ライセンス管理ソフトウエアに従って、前記測定器から取得された製造番号が前記復号化された製造番号と一致するとき、該当測定器はライセンス契約された測定器と判定し、
前記インストールされた自動測定ソフトウエアに従って、このライセンス契約された測定器を用いた前記測定対象に対する測定を開始させる
ことを特徴とする自動測定ソフトウエアのライセンス管理方法。
【発明の詳細な説明】
【技術分野】
【０００１】
本発明は、測定器に接続されされた測定制御用コンピュータが、外部からインストールされた自動測定ソフトウエアに従って、この測定器に対して測定対象の測定を実施させる自動測定システムに係わり、特に、測定制御用コンピュータにインストールされる自動測定ソフトウエアのライセンスを管理する自動測定ソフトウエアのライセンス管理方法に関する。
【背景技術】
【０００２】
携帯電話やＰＨＳ等の移動通信システムにおける各移動局に対する試験や、情報通信システムに組込まれる各種の情報通信機器に対する試験や、さらに光通信システムに組込まれる各種の光通信機器に対する試験等においては、上述した一つの測定対象に対する試験の測定項目が多岐に亘る。さらに、各測定項目においても、測定条件、測定パラメータ、測定順序が詳細に試験規格に定められている場合が多い。
【０００３】
さらに、試験の項目毎に必要な測定器が予め定められている。例えば、携帯電話やＰＨＳ等の応答試験においては、携帯電話やＰＨＳ等の測定対象に対して試験信号を送出する信号発生器、測定対象からの応答信号の信号レベルを測定するパワーメータ、測定対象からの応答信号の周波数特性を測定するスペクトラムアナライザ等である。
【０００４】
したがって、試験実施者は、各測定器に対して、試験の測定項目毎に測定条件、測定パラメータ、測定順序を一つの測定が終了する毎に設定する必要があるので、試験実施者にとって非常に煩わしい。また、試験作業能率も大幅に低下する。
【０００５】
このような不都合を回避するために、図１２に示すように、測定対象２に対して各種の測定を実施するためのスペクトラムアナライザ１ａ、信号発生器１ｂ、パワーメータ１ｃ等の各測定器に対して測定制御用コンピュータ３を接続した自動測定システムが提唱されている。この自動測定システムにおける測定制御用コンピュータ３は、例えば、市販のパーソナル・コンピュータ（ＰＣ）に、自動測定ソフトウエアをインストールしたものである。この自動測定ソフトウエアには、試験の測定項目毎に各測定器に設定すべき測定条件、測定パラメータ、測定順序等が記憶されている。
【０００６】
したがって、試験実施者は、測定制御用コンピュータ３にスペクトラムアナライザ１ａ、信号発生器１ｂ、パワーメータ１ｃ等の各測定器を接続して、測定制御用コンピュータ３の自動測定ソフトウエアを起動すれば、測定制御用コンピュータ３は、自動測定ソフトウエアに従って、各測定器に測定条件、測定パラメータを設定し、各測定器に測定指示を送出し、この各測定器で得られた測定結果を自動収集する。
【０００７】
スペクトラムアナライザ１ａ、信号発生器１ｂ、パワーメータ１ｃ等の各測定器のメーカは、一般に、この自動測定ソフトウエアを有償で測定器のユーザへ提供するようにしている。したがって、この自動測定ソフトウエアが無断で、各測定器に対する制御に使用されないように、ライセンス管理を実施する必要がある。
【０００８】
ソフトウエアの一般的なライセンス管理の手法は、固有のインストールキーを自動測定ソフトウエアと共にＣＤ―ＲＯＭ４に書込み、ＣＤ―ＲＯＭ４のケース５にインストールキー６が表記されたラベルを貼付ける。そして、この自動測定ソフトウエアの測定制御用コンピュータ３に対するインストール時に、操作員（試験実施者）にてキー入力されたインストールキー６がＣＤ―ＲＯＭ４に書込まれたインストールキーに一致することを確認する。
【０００９】
このインストールされたソフトウエアのライセンス管理の一手法について特許文献１に開示されている。
【特許文献１】特開平８−２９７６９８号公報
【発明の開示】
【発明が解決しようとする課題】
【００１０】
しかしながら、上述したインストールキーを用いた自動測定ソフトウエアのライセンス管理手法についても、まだ解消すべき次のような課題があった。  
すなわち、一般に、ＰＣ等からなる測定制御用コンピュータ３に対して、インストールされた後の自動測定ソフトウエアが書込まれたＣＤ―ＲＯＭ４はインストールキー６のラベルが貼付けられた状態のケース５に収納された状態で保管される。したがって、この自動測定ソフトウエアを他の測定制御用コンピュータ３に簡単にインストールすることができる。よって、自動測定ソフトウエアに対するライセンス管理が不十分となり、この自動測定ソフトウエアを有償で測定器のユーザへ提供する測定器のメーカは、十分なライセンス料を確保できないばかりか、各ユーザに対して適切なバージョン管理ができない問題がある。
【００１１】
本発明はこのような事情に鑑みてなされたものであり、簡単なソフトウエア構成を付加することにより、自動測定ソフトウエアの測定制御用コンピュータにインストール時に、特にインストールを操作入力する必要なく、操作者の操作負担を軽減でき、かつ自動測定ソフトウエアに対するライセンス管理を確実に実施できる自動測定ソフトウエアのライセンス管理方法を提供することを目的としている。
【課題を解決するための手段】
【００１２】
上記課題を解消するために、本発明は、測定器に接続された測定制御用コンピュータが、外部から入力しインストールされた自動測定ソフトウエアに従って、測定器に対して測定対象の測定を実施させる自動測定システムにおける自動測定ソフトウエアのライセンスを管理する自動測定ソフトウエアのライセンス管理方法に適用される。
【００１３】
そして、上記課題を解消するために、本発明の自動測定ソフトウエアのライセンス管理方法においては、測定制御用コンピュータは、自動測定ソフトウエアと共に外部から入力されるライセンス管理ソフトウエアと、同じく外部から入力されるライセンス契約された個々の測定器を特定する製造番号を暗号化した複数の暗号化製造番号が含まれる測定器暗号化製造番号リストとを記憶保持する。
【００１４】
そして、ライセンス管理ソフトウエアに従って自己に接続された測定器からこの測定器の製造番号を取得し、ライセンス管理ソフトウエアに従って測定器暗号化製造番号リストに含まれる個々の暗号化製造番号を復号化し、記憶保持したライセンス管理ソフトウエアに従って、測定器から取得された製造番号が復号化された複数の製造番号のなかにに含まれるとき、該当測定器はライセンス契約された測定器と判定する。その後、インストールされた自動測定ソフトウエアに従って、このライセンス契約された測定器を用いた測定対象に対する測定を開始させる。
【００１５】
このように構成された自動測定ソフトウエアのライセンス管理方法においては、測定器を販売するメーカは、自動測定ソフトウエアの配布に先立って、この自動測定ソフトウエアに従って実際の測定を実施する測定器を販売したユーザに対して、この自動測定ソフトウエアと該当測定器に対するライセンス契約を結ぶ。
【００１６】
このライセンス契約された各測定器の製造番号（シリアルＮｏ．）が暗号化されて暗号化製造番号として、測定器暗号化製造番号リストに書込まれて、自動測定ソフトウエアと共に、測定器のユーザの測定制御用コンピュータにインストールされる。
【００１７】
そして、この測定制御用コンピュータに測定器を接続して測定対象に対して測定を実施するときに、この測定器の製造番号（シリアルＮｏ．）を取込み、この測定器の製造番号（シリアルＮｏ．）が、復号化した製造番号（シリアルＮｏ．）と一致することを確認するようにしている。
【００１８】
この場合、ライセンス契約された各測定器の製造番号（シリアルＮｏ．）が暗号化されて測定制御用コンピュータに書込まれるので、ライセンス契約されていない測定器のユーザは、自己の測定器の製造番号（シリアルＮｏ．）を測定制御用コンピュータに正しく入力できない。よって、自動測定ソフトウエアは起動しないので、この自動測定ソフトウエアのライセンスは正しく管理される。
【００１９】
また、別の発明における自動測定ソフトウエアのライセンス方法においては、測定制御用コンピュータは、自動測定ソフトウエアと共に外部から入力されるライセンス管理ソフトウエアと、同じく外部から入力されるライセンス契約された測定器を特定する製造番号を暗号化した暗号化製造番号とを記憶保持する。さらに、ライセンス管理ソフトウエアに従って自己に接続された測定器からこの測定器の製造番号を取得し、ライセンス管理ソフトウエアに従って暗号化製造番号を復号化し、ライセンス管理ソフトウエアに従って、測定器から取得された製造番号が復号化された製造番号と一致するとき、該当測定器はライセンス契約された測定器と判定し、インストールされた自動測定ソフトウエアに従って、このライセンス契約された測定器を用いた測定対象に対する測定を開始させる。
【００２０】
このように構成された自動測定ソフトウエアのライセンス方法においては、測定制御用コンピュータに自動測定ソフトウエアと共にインストールされるライセンス契約された測定器を特定する製造番号は１個のみである。すなわち、測定器のメーカは、ライセンス契約された測定器毎に、自動測定ソフトウエアと該当測定器の暗号化製造番号とを該当測定器のユーザに配布する。
【発明の効果】
【００２１】
このように、本発明の自動測定ソフトウエアのライセンス方法においては、該当自動測定ソフトウエアが利用される測定器毎に自動測定ソフトウエアの使用に対するライセンス契約を結ぶようにしている。したがって、簡単なソフトウエア構成を付加することにより、自動測定ソフトウエアの測定制御用コンピュータにインストール時に、特にインストールをキー等操作入力する必要なく、操作者の操作負担を軽減でき、かつ自動測定ソフトウエアに対するライセンス管理を確実に実施できる。
【発明を実施するための最良の形態】
【００２２】
以下、本発明の各実施形態を図面を用いて説明する。
【００２３】
（第１実施形態）
図１は本発明の第１実施形態に係わる自動測定ソフトウエアのライセンス管理方法が適用される自動測定システムの概略構成を示す模式図である。図９に示す従来の自動測定システムと同一部分には同一符号を付して重複する部分の詳細説明を省略する。
【００２４】
この第１実施形態の自動測定システムにおいては、携帯電話やＰＨＳ等の測定対象２に対して各種の測定を実施するためのスペクトラムアナライザ１ａ、信号発生器１ｂ、パワーメータ１ｃ等の各測定器に対して測定制御用コンピュータ７が接続される。各測定器には、この各測定器のメーカによって、測定器個別の製造番号（シリアルＮｏ．）が付されている。
【００２５】
測定制御用コンピュータ７は、例えば、市販のパーソナル・コンピュータ（ＰＣ）に、測定器のメーカから有償又は無償で提供された自動測定パッケージ８の各ソフトウエアをインストールしたものである。自動測定パッケージ８内には、自動測定ソフトウエア１０とライセンス管理ソフトウエア１１が書込まれＣＤ−ＲＯＭ９と、測定器暗号化製造番号リスト１３が書込まれＦＤ１２とが組込まれている。
【００２６】
自動測定ソフトウエア１０は、測定対象２に対して、指定された試験を実施する場合における測定項目毎に各測定器に設定すべき測定条件、測定パラメータ、測定順序等が記憶されている。例えば、この第１実施形態においては、携帯電話やＰＨＳ等の測定対象２の応答試験を実施するための測定を実施するために、スペクトラムアナライザ１ａ、信号発生器１ｂ、パワーメータ１ｃに設定すべき測定条件、測定パラメータ、測定順序等が記憶されている。
【００２７】
測定器暗号化製造番号リスト１３には、図２に示すように、この自動測定ソフトウエア１０の使用に対してライセンス契約された個々の測定器を特定する製造番号を暗号化した複数の暗号化製造番号１４が書込まれている。
【００２８】
なお、この実施形態においては、スペクトラムアナライザ１ａ、信号発生器１ｂ、パワーメータ１ｃの全ての測定器に対してライセンス契約が結ばれている必要はない。ライセンス管理ソフトウエア１１には、この自動測定ソフトウエアが実行する試験に対して最も重要な測定器であるスペクトラムアナライザ１ａの暗号化製造番号１４のみが書込まれている。
【００２９】
ライセンス管理ソフトウエア１１は、測定器暗号化製造番号リスト１３に書込まれている各暗号化製造番号１４と測定制御用コンピュータ７に接続された測定器の製造番号（シリアルＮＯ）に基づいて自動測定ソフトウエア１０のライセンス管理を実施するソフトウエアである。
【００３０】
図３は自動測定パッケージ８の各ソフトウエアがインストールされた状態の測定制御用コンピュータ７の概略構成を示すブロック図である。システムバス１５に対して、ＣＤ−ＲＯＭリーダ１６、ＦＤドライブ装置（ＦＤＲ／Ｗ）１７、キーボード１８、表示器１９、ＣＰＵ２０、ＨＤドライブ装置２１、主記憶部２２、端子２４ａに接続されたＧＰＩＢインタフェース（Ｉ／Ｆ）２３ａ、端子２４ｂに接続されたＧＰＩＢインタフェース（Ｉ／Ｆ）２３ｂ、端子２４ｃに接続されたＧＰＩＢインタフェース（Ｉ／Ｆ）２３ｃが接続されている。
【００３１】
端子２４ａにはケーブル２５ａを介してスペクトラムアナライザ１ａが接続され、端子２４ｂにはケーブル２５ｂを介して信号発生器１ｂが接続され、端子２４ｃにはケーブル２５ｃを介してスペクトラムアナライザ１ｃが接続されている。
【００３２】
ＨＤドライブ装置２１のＨＤ内には、操作者にてインストールされた自動測定ソフトウエア１０が書込まれている。  
主記憶部２２内には、図４に示すように、操作者にてインストールされたライセンス管理ソフトウエア１１及び測定器暗号化製造番号リスト１３の他に、測定器暗号化製造番号リスト１３の各暗号化製造番号１４を復号化した各製造番号を一時記憶する復号化バッファ２６、この測定制御用コンピュータ７に接続された測定器から読取った製造番号（シリアルＮｏ．）を一時記憶する測定器バッファ２７、各測定器で測定された測定結果を記憶する測定結果メモリ２８等が記憶されている。
【００３３】
このような測定制御用コンピュータ７において、自動測定パッケージ８の各ソフトウエアのインストールから、自動測定ソフトウエア１０に従って、測定対象２対して指定された試験を実施して測定結果を得るまでの動作を図５の流れ図を用いて説明する。
【００３４】
（インストール実行フロー）
操作者にて、自動測定パッケージ８のＣＤ−ＲＯＭ９及びＦＤ１２に書込まれた各ソフトウエア及びリストのインストール操作が実施されると（Ｓ１）、自動測定ソフトウエア１０をＣＤ−ＲＯＭ９から読取りＨＤに書込む（Ｓ２）。さらに、ライセンス管理ソフトウエア１１をＣＤ−ＲＯＭ９から読取り主記憶部２２に書込み（Ｓ３）、測定器暗号化製造番号リスト１３をＦＤ１２から読取り主記憶部２２に書込む（Ｓ４）。
【００３５】
（ライセンス判定フロー）
次に、操作者にて、キーボード１８を介して測定準備指令が入力されると（Ｓ５）、主記憶部２２に書込まれたライセンス管理ソフトウエア１１が起動して、以下、このライセンス管理ソフトウエア１１に従って、自動測定ソフトウエア１０に対するライセンス管理業務を実行する。
【００３６】
先ず、各ＧＰＩＢインタフェース（Ｉ／Ｆ）２３ａ、２３ｂ、２３ｃを介して各測定器と通信可能状態にあることを確認する（Ｓ６）。各測定器のうちこの試験において重要と指定された１つの測定器（この実施形態においてはスペクトラムアナライザ１ａ）に対して、機種（型番）及び製造番号の問合せを送出する（Ｓ７）。該当、測定器（この実施形態においてはスペクトラムアナライザ１ａ）から機種（型番）及び製造番号が、ＧＰＩＢインタフェース（Ｉ／Ｆ）２３ａを介して入力すると（Ｓ８）、この入力された機種（型番）及び製造番号を主記憶部２２の測定器バッファ２７へ書込む（Ｓ９）。
【００３７】
次に、主記憶部２２に記憶保持している測定器暗号化製造番号リスト１３に含まれる各暗号化製造番号１４をライセンス契約された元の各測定器の製造番号に復号化して（Ｓ１０）、主記憶部２２の復号化バッファ２６に書込む（Ｓ１１）。そして、測定器バッファ２７の製造番号と復号化バッファ２６の各製造番号とを比較する（Ｓ１２）。
【００３８】
測定器バッファ２７の製造番号に一致する製造番号が復号化バッファ２６に記憶されていない場合は（Ｓ１３）、この測定制御用コンピュータ７に接続されている測定器（この実施形態においてはスペクトラムアナライザ１ａ）は、この自動測定ソフトウエア１０に対してライセンス契約が結ばれていないと判断して、この自動測定ソフトウエア１０の使用不可をその理由と共に表示器１９に表示出力する（Ｓ１４）。
【００３９】
測定器バッファ２７の製造番号に一致する製造番号が復号化バッファ２６に記憶されている場合は（Ｓ１３）、この測定制御用コンピュータ７に接続されている測定器（この実施形態においてはスペクトラムアナライザ１ａ）は、この自動測定ソフトウエア１０に対してライセンス契約が結ばれていると判断して、この自動測定ソフトウエア１０の使用許可を表示器１９に表示出力する（Ｓ１５）。
【００４０】
（測定実行フロー）
そして、ＨＤに記憶された自動測定ソフトウエア１０を起動する（Ｓ１６）。以下、この測定制御用コンピュータ７は、自動測定ソフトウエア１０に従って、各測定器（スペクトラムアナライザ１ａ、信号発生器１ｂ、パワーメータ１ｃ）を用いた測定対象２に対する自動測定（試験）処理を実施する（Ｓ１７）。
【００４１】
そして、各測定器（スペクトラムアナライザ１ａ、信号発生器１ｂ、パワーメータ１ｃ）で得られた各測定結果を収集して（Ｓ１８）、一旦、主記憶部２２の測定結果メモリ２８へ書込む（Ｓ１９）。その後、収集した各測定結果を表示器１９に表示出力する（Ｓ２０）。最後に、主記憶部２２の測定器バッファ２７及び復号化バッファ２６をクリアする（Ｓ２１）。
【００４２】
図６は、試験対象２が携帯電話やＰＨＳ等の移動局であって、この試験対象２に対する応答試験を自動測定ソフトウエア１０に従って実施する場合のシーケンス図である。  
測定制御用コンピュータ７は、スペクトラムアナライザ１ａから製造番号を取寄せて、ライセンス契約の存在を判定する。そして、測定制御用コンピュータ７は信号発生器１ｂへ信号送出を指示する。信号発生器１ｂは試験対象２へ試験用信号を送信する。同時に、測定制御用コンピュータ７は、スペクトラムアナライザ１ａ及びパワーメータ１ｃに対して測定指示を送出する。
【００４３】
試験対象２は試験用信号に対する応答信号をスペクトラムアナライザ１ａ及びパワーメータ１ｃに対して送出する。パワーメータ１ｃは応答信号のパワー（送信電力）を測定して測定結果を測定制御用コンピュータ７へ送出する。一方、スペクトラムアナライザ１ａは応答信号の周波数特性を測定して測定結果を測定制御用コンピュータ７へ送出する。測定制御用コンピュータ７はこれらの測定結果を集計する。
【００４４】
このように構成された第１実施形態の自動測定ソフトウエアのライセンス管理方法においては、この自動測定ソフトウエア１０の使用のライセンス契約は、各自動測定ソフトウエア１０自体に対して結ばれるのではなくて、この自動測定ソフトウエアに従って実際の測定を実施する測定器（この実施形態においてはスペクトラムアナライザ１ａ）に対して結ばれる。
【００４５】
したがって、測定器を販売するメーカは、自動測定ソフトウエア１０の配布に先立って、この自動測定ソフトウエア１０に従って実際の測定を実施する測定器を販売したユーザに対して、この自動測定ソフトウエア１０と該当測定器に対するライセンス契約を結ぶ。
【００４６】
このライセンス契約された各測定器の製造番号が暗号化されて暗号化製造番号１４とし、測定器暗号化製造番号リスト１３に書込まれて、自動測定ソフトウエア１０及びライセンス管理ソフトウエア１１と共に、測定器のユーザの測定制御用コンピュータ７にインストールされる。
【００４７】
そして、測定器のユーザ（操作者）が、測定制御用コンピュータ７に各測定器（スペクトラムアナライザ１ａ、信号発生器１ｂ、パワーメータ１ｃ）を接続して測定対象２に対して測定を実施するときに、ライセンス管理ソフトウエア１１が起動して、測定器（スペクトラムアナライザ１ａ）の製造番号を取込み、この測定器（スペクトラムアナライザ１ａ）の製造番号が、復号化した各製造番号の一つに一致することを確認するようにしている。
【００４８】
この場合、ライセンス契約された各測定器の製造番号が暗号化されて暗号化製造番号１４として、測定制御用コンピュータ７に書込まれるので、たとえ、測定器のユーザが、ライセンス契約されていない測定器の製造番号を測定制御用コンピュータ７に入力したとしても、ライセンス管理ソフトウエア１１は、この暗号化されていない製造番号を復号化しようとするので、正しい製造番号が得られない。よって、自動測定ソフトウエア１０は起動しないので、この自動測定ソフトウエア１０のライセンスは正しく管理される。
【００４９】
また、上述したように、個々の自動測定ソフトウエア１０に対してライセンス契約が結ばれていないので、ユーザは、この自動測定ソフトウエア１０を複数の測定制御用コンピュータ７に、インストールキーを用いることなく簡単にインストールが可能である。また、測定器を販売するメーカは、自動測定ソフトウエア１０を簡単に変更、改訂することが可能である。
【００５０】
（第２実施形態）
図７は本発明の第２実施形態に係わる自動測定ソフトウエアのライセンス管理方法が適用される自動測定システムの概略構成を示す模式図である。図１に示す第１実施形態の自動測定システムと同一部分には同一符号を付して重複する部分の詳細説明を省略する。
【００５１】
この第２実施形態の自動測定システムのライセンス管理方法においては、各測定器（スペクトラムアナライザ１ａ、信号発生器１ｂ、パワーメータ１ｃ）のユーザが所持する測定制御用コンピュータ７ａは、インターネット２９を介して、測定器メーカサイト３０に接続されている。そして、測定器メーカサイト３０は、自社が販売する各測定器を用いて測定対象に対して試験を自動実施するための自動測定ソフトウエア１０、ライセンス管理ソフトウエア１１、及び測定器暗号化製造番号リスト１３をインターネットのホームページ上に公開している。
【００５２】
各測定制御用コンピュータ７ａは、インターネット２９を介して、測定器メーカサイト３０のホームページ上に公開されている自動測定ソフトウエア１０、ライセンス管理ソフトウエア１１、及び測定器暗号化製造番号リスト１３を自己のＨＤ及び主記憶部２２にダウンロードすることが可能である。
【００５３】
このように構成された第２実施形態の自動測定システムのライセンス管理方法においても、自動測定ソフトウエア１０に対するライセンス契約は、各自動測定ソフトウエア１０自体に対して結ばれるのではなくて、この自動測定ソフトウエアに従って実際の測定を実施する測定器（この実施形態においてはスペクトラムアナライザ１ａ）に対して結ばれるので、図１に示す第１実施形態の自動測定システムのライセンス管理方法とほぼ同様の作用効果を奏することが可能である。
【００５４】
さらに、この第２実施形態の自動測定システムのライセンス管理方法においては、測定器のメーカは、インターネット２９を介して各ユーザに自動測定ソフトウエア１０を提供しているので、必要に応じて、より簡単に自動測定ソフトウエア１０の変更、改訂が可能である。
【００５５】
なお、本発明は上述した第１実施形態に限定されるものではない。第１実施形態においては、自動測定パッケージ８のＦＤ１２に書込まれた測定器暗号化製造番号リスト１３には、この自動測定ソフトウエア１０に対してライセンス契約された全部の測定器の製造番号（シリアルＮｏ．）が暗号化されて暗号化製造番号１４として書込まれている。
【００５６】
しかし、図８に示すように、測定器暗号化製造番号リスト１３ａには、この自動測定パッケージ８が提供されるユーザが所持するライセンス契約された測定器を特定する暗号化製造番号１４は１個のみであってもよい。
【００５７】
すなわち、測定器のメーカは、自動測定ソフトウエア１０に対してライセンス契約された測定器毎に、自動測定ソフトウエア１０と、ライセンス管理ソフトウエア１１と、該当測定器の暗号化製造番号１４を記憶した測定器暗号化製造番号リスト１３ａとが組込まれた自動測定パッケージ８を該当測定器のユーザに配布する。したがって、この場合、ライセンス管理ソフトウエア１１は、測定器暗号化製造番号リスト１３ａに書込まれている１個の暗号化製造番号１４を復号するのみでよい。
【００５８】
さらに、各実施形態においては、測定制御用コンピュータ７、７ａに、測定器として、スペクトラムアナライザ１ａ、信号発生器１ｂ、パワーメータ１ｃを接続したが、他の測定器であってもよいことは言うまでもない。
【００５９】
なお、図５の説明では、一致がない場合（Ｓ１３）、使用不可表示（Ｓ１４）して終了していたが、ライセンスを最新の測定器暗号化製造番号リスト(登録リスト)で再確認し、一致がない場合は、ラセンスの購入を喚起する処理をしても良い。
【００６０】
図９は、ラセンスの一致がなかった場合の処理を示す流れ図である。以下、図９に基づいて説明する。
【００６１】
（登録リストアップデート機能）
一致がない場合は、測定器暗号化製造番号リスト１３（登録リスト）が古い場合があり得るので、登録リストアップデート機能を動作させる。具体的には、「登録リストを最新版に更新しますか？」をメッセージ出力する（Ｐ１）。更新する場合（ＯＫ）は、測定器メーカサイト３０のデータベースからネットワーク等を経由して登録リストの最新版を取得し、測定器暗号化製造番号リストの各暗号化製造番号を復号化し、復号化バッファ２６に書込む（Ｐ２）。更新しない場合（キャンセル）は、後で説明する新規登録機能の動作に移る。
【００６２】
そして、測定器バッファ２７の製造番号と、復号化バッファ２６の各製造番号とを比較する（Ｐ３）。比較結果が一致した場合（Ｙ）は、使用可能表示する（図５、Ｓ１５）。比較結果が一致しない場合（Ｎ）は、以下に説明する新規登録機能の動作に移る。
【００６３】
(新規登録機能)
「ライセンスを購入しますか？」をメッセージ出力する（Ｐ５）。聴入する場合（ＯＫ）は、ネットワーク等を経由して測定器メーカサイト３０へ測定器の製造番号（シリアルＮｏ．）の提供と共に、課金し、ライセンスの登録をする（Ｐ６）。そして、測定器メーカサイト３０のデータベースからネットワーク等を経由して登録リストの最新版を取得し、測定器暗号化製造番号リストの各暗号化製造番号を復号化し、復号化バッファ２６に書込む（Ｐ６）。更新しない場合（キャンセル）は、使用不可表示する(図５、Ｓ１４)。
【００６４】
そして、測定器バッファ２７の製造番号と、復号化バッファ２６の各製造番号とを比較する（Ｐ７）。比較結果が一致した場合（Ｙ）は（Ｐ８）、使用可能表示する（図５、Ｓ１５）。比較結果が一致しない場合（Ｎ）は、使用不可表示する（図５、Ｓ１４）。
【００６５】
(バージョン情報管理処理)
図１０は、制御対象とソフトウエアのバージョン管理を同時に行うための処理を示す流れ図である。図１１は、図１０中の内部更新処理、及びソフトウエア更新処理を詳細に記載した流れ図である。
【００６６】
測定器から測定器に関する情報（機種(型番)／シリアルＮｏ．（ＳＮ）／バージョン／オプション等）を取得することにより、自動測定ソフトウエア１０のライセンス管理ばかりでなく、制御対象と自動測定ソフトウエアのバージョン管理を同時に行うことができる。
【００６７】
具体的には、制御対象の測定器より機種(型番)／シリアルＮｏ．（ＳＮ）／バージョン／オプションの情報を取得する（Ｂ１）。次に、シリアルＮｏ．（ＳＮ）よりライセンス判定を行う（Ｂ２）。このライセンス判定処理は、図５のＳ１からＳ１３の内容と同様である。次に、測定制御用コンビュータ７の内部データベース（バージョン管理情報）から自動測定ソフトウエア１０のバージョンと、制御可能な測定器のバージョンを確認する（Ｂ３）。接続されている測定器から取得したバージョン情報が、内部データベースで確認した制御可能な測定器のバージョンであり、制御可能か判定する（Ｂ４）。
【００６８】
例えば、内部データベースの自動測定ソフトウエアのバージョンがVer1.0で、制御可能な測定器１はVer2.8、測定器２はVer4.0であり、接続されている測定器１のバージョンがVer2.8、測定器２のバージョンがVer4.0の場合は、制御可能（Ｙ）となり、図５の使用可能表示（Ｓ１５）に移行する。
【００６９】
また、内部データベースの自動測定ソフトウエアのバージョンがVer1.0で、制御可能な測定器１はVer2.8、測定器2はVer4,0であり、接続されている測定器１のバージョンがVer2.9、測定器２のバージョンがVer4.0の場合は、制御不可能（Ｎ）となり、以下に説明する内部データベースの内部リスト更新処理（Ｂ５）、又は、自動測定ソフトウエアをアップデートするソフトウエア更新処理（Ｂ６）に移行する。
【００７０】
内部リスト更新処理（Ｂ５）において、内部データベースを更新しない（Ｎ1）ならば、図５の使用不可表示（Ｓ１６）に移行する。内部データベースを更新し、制御可能か再判定し、可能ならば（Ｙ）、図５の使用可能表示（Ｓ１５）に移行し、不可能ならば（Ｎ2）、次のソフトウエア更新処理（Ｂ６）に移行する。
【００７１】
ソフトウエア更新処理（Ｂ６）において、自動測定ソフトウエアをアップデートし、制御可能な場合は、図５の使用可能表示（Ｓ１５）に移行し、アップデートしないか、しても対応不可の場合は不可能ならば、図５の使用不可表示（Ｓ１６）に移行する。
【００７２】
(内部リスト更新処理)
次に、図１１の流れ図を用いて内部リスト更新処理（Ｂ５）、及びソフトウエア更新処理（Ｂ６）を説明する。
【００７３】
Ｂ４のステップで制御不可能（Ｎ）の場合、内部リスト更新処理に移行し、「内部データベースを最新版に更新しますか？」のメッセージ出力をする(Ｂ５ａ)。内部データベースを更新しないならば（Ｎ１）、図５の使用不可表示（Ｓ１６）に移行する。内部データベースを更新する場合（Ｙ）、測定器メーカサイト３０の外部のデータベースからネットワーク等を経由してバージョン管理情報の最新版を取得し、内部データベースを最新版にする（Ｂ５ｂ）。
【００７４】
次に、測定制御用コンビュータ７の内部データベース（バージョン管理情報）から自動測定ソフトウエア１０のバージョンと、制御可能な測定器のバージョンを確認する（Ｂ５ｃ）。接続されている測定器から取得したバージョン情報が、内部データベースで確認した制御可能な測定器のバージョンで制御可能かを判定する（Ｂ５ｄ）。
【００７５】
例えば、内部データベースの自動測定ソフトウエア１０のバージョンがVer1.0で、制御可能な測定器１はVer2.9、測定器２はVer4.0であり、接続されている測定器１のバージョンがVer2.9、測定器2のバージョンがVer4.0の場合は、制御可能（Ｙ）となり、図５の使用可能表示（Ｓ１５）に移行する。
【００７６】
また、内部データベースの自動測定ソフトウエア１０のバージョンがVer1.Oで、制御可能な測定器１はVer2.9、測定器2はVer4.0であり、接続されている測定器１のバージョンがVer3.0、測定器２のバージョンがVer4.0の場合は、制御不可能(Ｎ２)となり、自動測定ソフトウエア１０をアップデートするソフトウエア更新処理（Ｂ６）に移行する。
【００７７】
(ソフトウエア更新処理)
先ず、自励測定ソフトウエア１０のバージョンを上げることにより対応可能かを判定する（Ｂ６ａ）。対応不可能の場合（Ｎ）は、図５の使用不可表示（Ｓ１６）に移行する。対応可能な場合（Ｙ）は、「ソフトウエアをアップデートすることにより制御可能です。アップデートしますか？」のメッセージを出力する（Ｂ６ｂ）。アップデートしない場合（キャンセル）は、図５の使用不可表示（Ｓ１６）に移行する。アップデートする場合（ＯＫ）は、測定器メーカサイト３０の外部のデータベースからネットワーク等を経由して該当バージョンの自動測定ソフトウエア１０を取得し、図５の使用可能表示（Ｓ１５）に移行する（Ｂ６ｃ）。
【００７８】
具体的には、自動測定ソフトウエア１０のVer2.0は、制御可能な測定器１はVer3.5、測定器２はVer4.2であるため、上位互換性があり、接続されている測定器１のバージョンがVer3.0、測定器2のバージョンがVer4.0の制御が可能となる。そのため、Ver2.Oの自動測定ソフトウエア１０を取得することにより、図５の使用可能表示（Ｓ１５）に移行することができる。
【００７９】
(ライセンス管理及びバージョン管理処理)
ソフトウエア更新処理の説明では、自励測定ソフトウエア１０のVer2.0を更新する実施形態を記載したが、ライセンス管理処理に対応して、更新可能な自動測定ソフトウエア１０のバージョンを制限することができる。
【００８０】
例えば、測定器１のバージョンがVer2.9からVer3.0にアップデートされている場合は、自動測定ソフトウエア１０のVer2.0でないと制御可能とならない。そこで、新たにライセンスの契約をしないと、自動測定ソフトウエア１０のVer2.0をアップデートできないようにし、上記ステップ（Ｂ６ｂ）で、ライセンス契約の喚起するメッセージを出力する等の処理をすることができる。
【図面の簡単な説明】
【００８１】
【図１】本発明の第１実施形態に係わる自動測定ソフトウエアのライセンス管理方法が適用される自動測定システムの概略構成を示す模式図
【図２】同自動測定システムにおける測定器暗号化製造番号リストの記憶内容を示す図
【図３】同自動測定システムに組込まれた測定制御用コンピュータの概略構成を示すブロック図
【図４】同測定制御用コンピュータに組込まれた主記憶部の記憶内容を示す図
【図５】同測定制御用コンピュータの動作を示す流れ図
【図６】同測定制御用コンピュータの測定動作を示すシーケンス図
【図７】本発明の第２実施形態に係わる自動測定ソフトウエアのライセンス管理方法が適用される自動測定システムの概略構成を示す模式図
【図８】本発明の第１実施形態に係わる自動測定ソフトウエアのライセンス管理方法の変形例を説明するための図
【図９】同測定制御用コンピュータの動作におけるライセンスが無かった場合の処理を示す流れ図
【図１０】同測定制御用コンピュータの動作における制御対象とソフトウエアのバージョン管理を同時に行うための処理を示す流れ図
【図１１】同測定制御用コンピュータの動作における内部更新処理及びソフトウエア更新処理を示す流れ図
【図１２】従来の自動測定ソフトウエアのライセンス管理方法が適用される自動測定システムの概略構成を示す模式図
【符号の説明】
【００８２】
１ａ…スペクトラムアナライザ、１ｂ…信号発生器、１ｃ…パワーメータ、２…測定対象、７，７ａ…測定制御用コンピュータ、８…自動測定パッケージ、１０…自動測定ソフトウエア、１１…ライセンス管理ソフトウエア、１３，１３ａ…測定器暗号化製造番号リスト、１４…暗号化製造番号、１６…ＣＤ−ＲＯＭリーダ、１７…ＦＤドライブ装置、１８…キーボード、１９…表示器、２０…ＣＰＵ、２１…ＨＤドライブ装置、２２…主記憶部、２３ａ，２３ｂ，２３ｃ…ＧＰＩＢインタフェース、２６…復号化バッハ、２７…測定器バッファ、２８…測定結果メモリ、２９…インターネット、３０…測定器メーカサイト
【図１】
2005084889.tif 000003
【図２】
2005084889.tif 000004
【図３】
2005084889.tif 000005
【図４】
2005084889.tif 000006
【図５】
2005084889.tif 000007
【図６】
2005084889.tif 000008
【図７】
2005084889.tif 000009
【図８】
2005084889.tif 000010
【図９】
2005084889.tif 000011
【図１０】
2005084889.tif 000012
【図１１】
2005084889.tif 000013
【図１２】
2005084889.tif 000014